(57)【要約】【課題】ポスター等からなるシート状の媒体の取り換え作業を更に効率良く行う。【解決手段】展示用パネル１は、展示対象となるシート状の媒体としてのポスターを背面から支持する支持板２と、支持板２における支持部材２２の複数箇所に支持部材２２から突出してそれぞれ設けられるネジ３と、可撓性及び透過性を有し、ポスターを支持した状態の支持部材２２にポスターの表面側から被せて取り付けられる透過性被覆板４と、ネジ３が入り込む凹部５１を有して、支持部材２２に取り付けられた透過性被覆板４を貫通したネジ３が凹部５１に入り込んだ状態でネジ３に取り付けられ、透過性被覆板４を支持板２に固定する留め部材５とを備える。上記ネジ３のうち、少なくとも１つのネジ３は強磁性体で形成され、留め部材５のうち、当該強磁性体で形成されたネジ３に取り付けられる留め部材５は凹部５１内に磁力を有する。【選択図】図２
2020204740.tif 000002
【特許請求の範囲】
【請求項１】
展示対象となるシート状の媒体を背面から支持する支持板と、
前記支持板における媒体支持面の複数箇所に、当該媒体支持面から突出してそれぞれ設けられる突部と、
可撓性及び透過性を有し、前記媒体を支持した状態の前記媒体支持面に前記媒体の表面側から被せて取り付けられ、前記媒体支持面に取り付けられたときに前記突部に対向する位置に、前記突部が貫通する穴部が形成された透過性被覆板と、
前記突部が入り込む凹部を有し、前記媒体支持面に取り付けられた前記透過性被覆板の前記穴部を貫通した前記突部が前記凹部に入り込んだ状態で前記突部に取り付けられ、前記透過性被覆板を前記支持板に固定する留め部材とを備え、
前記複数箇所に設けられている前記突部のうち、少なくとも１つの前記突部は、強磁性体で形成され、
前記留め部材のうち、前記強磁性体で形成された前記突部に取り付けられる前記留め部材は、前記凹部内に磁力を有する展示用パネル。
【請求項２】
前記突部は、前記媒体支持面の複数箇所として前記媒体支持面の四隅に設けられ、
前記四隅に設けられている前記突部のうち、前記媒体支持面の辺に沿って並ぶ２つの前記突部が強磁性体で形成されている請求項１に記載の展示用パネル。
【請求項３】
前記各突部の周面には、ネジ溝が形成され、
前記凹部内に磁力を有する前記留め部材は、前記凹部の形状が、前記突部に取り付けられるときに前記透過性被覆板側となる側面部から、前記突部が前記透過性被覆板から突出する部分の突出量と同じ奥行きまでの第１領域は、前記突部の径と同じ大きさの径とされて磁力を有する素材が配され、前記突出量を越える奥行き部分である第２領域は、前記ネジ溝に螺合するネジ穴が形成されている請求項１又は請求項２に記載の展示用パネル。
【請求項４】
前記四隅に設けられている前記突部のうち、前記媒体支持面の辺に沿って並ぶ強磁性体で形成された２つの前記突部を第１突部とした場合に、当該第１突部以外の第２突部は、強磁性体以外の素材で形成され、前記第１突部に取り付けられ前記凹部内に磁力を有する留め部材を第１留め部材とし、前記第２突部に取り付けられる前記留め部材を第２留め部材とした場合に、前記第２留め部材は、前記凹部内に磁力を有しておらず、前記凹部の内部全体に前記ネジ溝に螺合するネジ穴が形成され、
前記各第１突部に前記第１留め部材が取り付けられず、前記各第２突部に前記第２留め部材が螺合により取り付けられた状態で前記透過性被覆板が前記支持板に固定されているとき、前記透過性被覆板は、前記第２留め部材により固定されている部分は前記媒体支持面に密着しつつ、前記第１留め部材側の端部が、前記支持板から離れる方向に撓み可能とされ、
前記透過性被覆板には、前記媒体支持面側の面において、前記各第２突部が貫通する前記各穴部よりも、前記各第１突部が貫通する前記各穴部側となる位置に、前記媒体支持面側に向けて突出する係止部材が設けられ、
前記係止部材は、前記透過性被覆板が前記支持板に固定されている状態のときに前記媒体支持面に接触し、前記各第２突部が貫通する前記各穴部が並ぶ方向に延び、前記透過性被覆板の一方の側端部から他方の側端部まで設けられている請求項３に記載の展示用パネル。
【発明の詳細な説明】
【技術分野】
【０００１】
本発明は、ポスター等からなるシート状の媒体を展示する展示用パネルに関し、特に、当該媒体を入れ換え可能にする構造に関する。
【背景技術】
【０００２】
展示用パネルとして、下記特許文献１，２に示されるように、展示対象となるポスターを支持する枠体及び台板と、ポスターを支持した状態の台板にポスター表面側から被せて取り付けられる透明プラスチック板（透過性被覆板）とにより、ポスターを挟み込んで保持し、当該保持されたポスターを、透明プラスチック板を通して通行人が視認可能となるように展示する展示用パネルが提案されている。特許文献１，２に示される展示用パネルは、透明プラスチック板の四隅に配された４つのビスのうち、２つのビスがねじ止めにより透明プラスチック板を枠体及び台板に固定し、他の２つのビスが磁力により透明プラスチック板を台板に固定するものである。
【先行技術文献】
【特許文献】
【０００３】
【特許文献１】登録実用新案公報第３２０９２３９号
【特許文献２】特開２０１８−９７３０３号公報
【発明の概要】
【発明が解決しようとする課題】
【０００４】
しかしながら、上記特許文献１，２に記載された展示用パネルにおいては、磁力を有するビスは、径の違う２つの円柱を同軸で合体させた形状とされ、細い方の径部が透明プラスチック板に穿設された孔に入り込み、強磁性体からなる台板又は枠体と吸着することで、透明プラスチック板を台板に固定する構成を採る。このため、台板をスチール製等の強磁性体の素材で形成する必要があり、重量化及びユーザーによる取り扱い難さの要因となっていた。また、当該磁力を有するビスは、透明プラスチック板を挟んで台板又は枠体と吸着する必要があるため、透明プラスチック板の厚さが制限される。
【０００５】
本発明は、上記の事情に鑑みなされたものであり、重量化及びユーザーによる取り扱い難さを招くことなく、透過性被覆板の厚さ設定の自由度を確保した上で、ポスター等からなるシート状の媒体の取り換え作業を更に効率良く行えるようにすることを目的とする。
【課題を解決するための手段】
【０００６】
本発明の一局面に係る展示用パネルは、展示対象となるシート状の媒体を背面から支持する支持板と、前記支持板における媒体支持面の複数箇所に、当該媒体支持面から突出してそれぞれ設けられる突部と、可撓性及び透過性を有し、前記媒体を支持した状態の前記媒体支持面に前記媒体の表面側から被せて取り付けられ、前記媒体支持面に取り付けられたときに前記突部に対向する位置に、前記突部が貫通する穴部が形成された透過性被覆板と、前記突部が入り込む凹部を有し、前記媒体支持面に取り付けられた前記透過性被覆板の前記穴部を貫通した前記突部が前記凹部に入り込んだ状態で前記突部に取り付けられ、前記透過性被覆板を前記支持板に固定する留め部材とを備え、前記複数箇所に設けられている前記突部のうち、少なくとも１つの前記突部は、強磁性体で形成され、前記留め部材のうち、前記強磁性体で形成された前記突部に取り付けられる前記留め部材は、前記凹部内に磁力を有するものである。
【発明の効果】
【０００７】
本発明に係る展示用パネルによれば、重量化及びユーザーによる取り扱い難さを招くことなく、透過性被覆板の厚さ設定の自由度を確保した上で、ポスター等からなるシート状の媒体の取り換え作業を更に効率良く行うことが可能になる。
【図面の簡単な説明】
【０００８】
【図１】本発明の一実施形態に係る展示用パネルを示す斜視図である。
【図２】図１の展示用パネルを構成する支持板、突部、透過性被覆板、及び留め部材を分解した状態で示す斜視図である。
【図３】第１ネジがフレーム、支持部材、及び透過性被覆板を貫通して取り付けられた内部状態を示す側面図である。
【図４】第１ネジがフレーム、支持部材、及び透過性被覆板を貫通して取り付けられ、更に第１ネジの先端部に第１留め部材が取り付けられている内部状態を示す側面図である。
【図５】（Ａ）は第１留め部材の凹部内を示す底面図、（Ｂ）は第１留め部材の凹部内を示す側断面図、（Ｃ）は第１留め部材を示す斜視図である。
【図６】（Ａ）は第２留め部材の凹部内を示す底面図、（Ｂ）は第２留め部材の凹部内を示す側断面図、（Ｃ）は第２留め部材を示す斜視図である。
【図７】第２ネジがフレーム、支持部材、及び透過性被覆板を貫通して取り付けられ、更に第２ネジの先端部に第２留め部材が取り付けられている内部状態を示す側面図である。
【図８】透過性被覆板及び支持板の間の空間を拡げるように透過性被覆板を撓ませた状態を示す斜視図である。
【発明を実施するための形態】
【０００９】
以下、本発明の実施形態について図面を参照して説明する。図１は、本発明の一実施形態に係る展示用パネルを示す斜視図である。図２は、図１の展示用パネルを構成する支持板、突部、透過性被覆板、及び留め部材を分解した状態で示す斜視図である。
【００１０】
本発明の一実施形態に係る展示用パネル１は、支持板２、ネジ３、透過性被覆板４、留め部材５、及び脚部６を備えている。
【００１１】
支持板２は、展示対象となるシート状の媒体をその背面から支持する部材である。支持板２は、フレーム２１と、支持部材２２とを備えている。なお、シート状の媒体とは、ポスター、新聞等の印刷物、写真、書画、手書きの作文、織物など、展示対象となり得る薄手の媒体を全て含む。以下、ポスターをシート状の媒体の一例として説明する。
【００１２】
フレーム２１は、両側の２本の縦桟２１１、及び各縦桟２１１の上下端をそれぞれ連結する横桟２１２からなる矩形状とされている。フレーム２１は、例えばアルミで形成されている。また、フレーム２１には、フレーム２１を地面上に立てて使用するためにフレーム２１を支持する脚部６が取り付けられている。
【００１３】
支持部材２２は、平板状の部材からなり、展示対象となるポスターが載置されて（立て掛けられて）、当該ポスターを背面から支持するものである。支持部材２２は、フレーム２１に取り付けられている。支持部材２２の大きさは、載置可能にするポスターの大きさ（例えば、定型Ａ１，Ａ０等）に応じて、載置可能にするポスターの大きさよりも一回り大きな形状に形成される。また、本実施形態では、フレーム２１は、フレーム２１を脚部６により地面に立てたときに下側となる部分が、支持部材２２よりも長く形成されている。これは、展示用パネル１により展示されるポスターの位置を地面よりも高くして通行人等にとって視認しやすくするためである。
【００１４】
また、支持部材２２は、媒体支持面として機能する。支持部材２２は、例えば、アルミ複合板により形成される。支持部材２２は矩形状とされ、その大きさは、上記のようにフレーム２１の矩形形状よりも小さな形状とされる。支持部材２２は、コーナー部となる四隅にそれぞれ、ネジ３が貫通する第２穴部２２３が形成されている。フレーム２１には、各第２穴部２２３と同じ位置に、それぞれ第１穴部２１３が形成されている。なお、本実施形態では、支持部材２２及びフレーム２１を別々の部材とし、支持部材２２がフレーム２１に取り付けられて支持板２が構成されるものとしているが、支持板２は、支持部材２２及びフレーム２１が分離不可能に一体的に結合したものであってもよい。  
【００１５】
図１及び図２に加えて更に図３を参照してネジ３を説明する。図３は、ネジ３がフレーム２１、支持部材２２、及び透過性被覆板４を貫通して取り付けられた状態を示す側面図である。
【００１６】
ネジ３は、支持板２の背面側（支持部材２２が取り付けられる側とは反対側）から支持板２に取り付けられる。また、ネジ３は、支持部材２２がフレーム２１に面的に密着して取り付けられた状態で、第１穴部２１３及び第２穴部２２３を貫通して、その先端部を支持部材２２から突出させた状態でフレーム２１に取り付けられる。すなわち、ネジ３は、各第１穴部２１３及び第２穴部２２３の全てにそれぞれ取り付けられる。例えば、第１穴部２１３の内部には、ネジ３の周面に形成されたネジ溝に螺合するネジ穴が形成され、当該ネジ溝とネジ穴の螺合によりネジ３が支持板２に取り付けられる。なお、第２穴部２２３は、ネジ穴は必要ではなく、ネジ３の先端部を貫通させることができる形状であればよい。
【００１７】
ネジ３が、このように支持板２に取り付けられると、支持部材２２から突出する先端部３１が、特許請求の範囲における突部となる。ネジ３のうち、フレーム２１の辺２２１に沿って並ぶ２つの第１穴部２１３に取り付けられることになるねじ３は、強磁性体の素材により形成される。当該強磁性体の素材により形成されるネジ３を第１ネジ３Ａとする。また、第３ネジ３Ａ以外のネジ３を第２ネジ３Ｂとする。第２ネジ３Ｂは、強磁性体である必要はなく、本実施形態では、強磁性体以外の素材により形成される例を示す。また、第１ネジ３Ａ及び第２ネジ３Ｂの周面には、ネジ溝が形成されている。
【００１８】
透過性被覆板４は、可撓性及び透過性を有する素材からなる平板状の部材である。透過性被覆板４は、例えば、厚さ２ｍｍの透明なアクリル板により形成される。透過性被覆板４は、ポスターが載置された状態（ポスターをその背面側から支持した状態）の支持部材２２にポスターの表面側から被せて、支持部材２２に取り付けられる。透過性被覆板４は、支持部材２２に取り付けられたときに突出するネジ３の先端部３１に対向する位置に、先端部３１を貫通させる第３穴部４１が形成されている。すなわち、透過性被覆板４を、支持板２に取り付けるときは、当該第３穴部４１に、支持部材２２から突出する先端部３１を貫通させて取り付ける。
【００１９】
留め部材５は、支持部材２２に取り付けられた透過性被覆板４の第３穴部４１を貫通して突出しているネジ３の先端部３１に取り付けられることで、透過性被覆板４を支持板２に固定する。留め部材５には、第１留め部材５Ａ及び第２留め部材５Ｂがある。留め部材５のうち、強磁性体からなる第１ネジ３Ａに取り付けられる留め部材５は、凹部５１内に磁力を有する素材が配されている。当該凹部５１内に磁力を有する素材が配されている留め部材５を第１留め部材５Ａとする。また、留め部材５のうち、第２ネジ３Ｂに取り付けられる留め部材５が第２留め部材５Ｂである。
【００２０】
図１〜図３に加えて、更に図４〜図６を参照して、留め部材５を更に詳細に説明する。図４は、ネジ３がフレーム２１、支持部材２２、及び透過性被覆板４を貫通して取り付けられ、更にネジ３の先端部に留め部材５が取り付けられている状態を示す側面図である。図５（Ａ）は第１留め部材５Ａの凹部５１内を示す底面図、（Ｂ）は第１留め部材５Ａの凹部５１内を示す側断面図、（Ｃ）は第１留め部材５Ａを示す斜視図である。図６（Ａ）は第２留め部材５Ｂの凹部５１内を示す底面図、（Ｂ）は第２留め部材５Ｂの凹部５１内を示す側断面図、（Ｃ）は第２留め部材５Ｂを示す斜視図である。
【００２１】
第１留め部材５Ａは、ネジ３Ａの先端部３１が入り込む凹部５１を有する。第２留め部材５Ｂは、ネジ３Ｂの先端部３１が入り込む凹部５１を有する。第１留め部材５Ａ及び第２留め部材５Ｂは、支持部材２２に取り付けられた透過性被覆板４の第３穴部４１を貫通して突出している先端部３１が凹部５１に入り込んだ状態で、先端部３１に取り付けられる。当該先端部３１への第１留め部材５Ａ及び第２留め部材５Ｂの取付により、透過性被覆板４が支持板２に固定される。
【００２２】
図４に示すように、第１留め部材５Ａが上記のように取り付けられているときに、凹部５１の形状は、透過性被覆板４側となる側面部５０１から、先端部３１が透過性被覆板４から突出する部分の突出量と同じ奥行きまでの第１領域５１１は、第１ネジ３Ａの径（第１ネジ３Ａの周面に設けられたねじ溝により形成される径のうち最も大きな径部分）と同じ大きさの径とされ、更に磁力を有する素材が配されている。第１領域５１１には、ネジ穴が形成されていない。ここでの同じ大きさの径には、第１ネジ３Ａの径と同じ大きさの径及び若干大きな径の両方を含むものとする。
【００２３】
また、凹部５１の形状は、先端部３１が透過性被覆板４から突出する部分を越える奥行き部分となる第２領域５１２には、第１ネジ３Ａのネジ溝に螺合するネジ穴が形成されている。
【００２４】
これにより、第１留め部材５Ａを第１ネジ３Ａの先端部３１に被せると、凹部５１内の第１領域５１１に先端部３１が入り込むが、このとき、第１領域５１１は、ネジ穴を有しておらず、先端部３１径と同じ大きさの径を有しているため、第１領域５１１が先端部３１のネジ溝に螺合することなく、先端部３１は第１領域５１１をスムーズに通過する。先端部３１の最先端部分が凹部５１内の第２領域５１２に差し掛かると、第２領域５１２はネジ穴が形成されているため、第１留め部材５Ａを回転させることなく第１ネジ３Ａの先端部３１に被せるだけでは、この時点で、先端部３１の最先端部分１が第２領域５１２に引っ掛かり、先端部３１はこれ以上第２領域５１２に入り込まない。
【００２５】
しかしながら、第１留め部材５Ａの凹部５１内は磁力を有し、先端部３１は強磁性体からなるため、当該磁力により第１留め部材５Ａは先端部３１に固着する。これにより、フレーム２１に取り付けられていた支持部材２２及び透過性被覆板４は、第１ネジ３Ａから外れる方向への動きが抑制されるため、フレーム２１に固定される。すなわち、ユーザーは、第１留め部材５Ａを回転させることなく、凹部５１内に先端部３１を入り込ませて、第１ネジ３Ａに被せるだけで、第１留め部材５Ａを第１ネジ３Ａに固着した状態で取り付けることができ、更に、フレーム２１に支持部材２２及び透過性被覆板４を固定することができる。このため、支持部材２２にポスターを支持させた上で、このようにして透過性被覆板４を支持部材２２に取り付けると、簡単に支持部材２２及び透過性被覆板４によりポスターを挟持させることができ、展示可能にポスターを保持することができる。なお、本実施形態では、支持部材２２は、アルミ複合板により形成されているため、第１留め部材５Ａによる磁力では、第１留め部材５Ａ及び支持部材２２は吸着しない。
【００２６】
上記のように、先端部３１の最先端部分が凹部５１内の第２領域５１２に差し掛かって、磁力により第１留め部材５Ａは先端部３１に固着している状態から、更に、ユーザーが、第１留め部材５Ａを回転させると、先端部３１のネジ溝に対して第２領域５１２のネジ穴が螺合して、先端部３１は第２領域５１２に入り込んでいく。すなわち、図４に示すように、第１留め部材５Ａは、当該螺合により第１ネジ３Ａと係止し、当該係止により、第１留め部材５Ａは、上記磁力による固着に加えて、更に強固に第１ネジ３Ａに固着する。なお、ネジ穴を有する第２領域５１２は、第１ネジ３Ａの先端部３１の一部である最先端部にのみ螺合する大きさで設けられている。
【００２７】
なお、先端部３１が延びる方向における第２領域５１２の長さは、例えば、第１留め部材５Ａを回転させたときに、上記螺合を半回転〜１回転未満で行うことが可能な長さに設定されることが好ましい。この設定により、螺合のために必要な作業を削減しつつ、上記固着に必要な係止を確保する。
【００２８】
従って、ユーザーは、支持板２に透過性被覆板４を簡単な作業で取り付けたいときには、第１留め部材５Ａを回転させることなく先端部３１に被せて、先端部３１を第２領域５１２に螺合させないことを選択でき、一方、更に強固に支持板２に透過性被覆板４を取り付けたいときには、上記のように第１留め部材５Ａを回転させることなく先端部３１に被せた状態から、更に第１留め部材５Ａを回転させて、螺合により先端部３１に第１留め部材５Ａを係止させることを選択できる。どちらを選択しても、凹部５１の長さ方向全域に設けたネジ穴を先端部３１に螺合させる従来の場合よりも、簡単に支持板２に透過性被覆板４を取り付けることができる。
【００２９】
一方、第２留め部材５Ｂは、図７に示すように、第２ネジ３Ｂが透過性被覆板４から突出している先端部３１部分を凹部５１に入り込ませて第２ネジ３Ｂに取り付けられる。図７は、第２ネジ３Ｂがフレーム２１、支持部材２２、及び透過性被覆板４を貫通して取り付けられ、更に第２ネジ３Ｂの先端部３１に第２留め部材５Ｂが取り付けられている内部状態を示す側面図である。
【００３０】
第２留め部材５Ｂの凹部５１の内壁には、第２ネジ３Ｂに螺合する形状のネジ穴が凹部５１の長さ方向全体に亘って形成されているため、ユーザーが第２留め部材５Ｂをその凹部５１内に先端部３１を入り込ませてきには第２留め部材５Ｂを回転させて、凹部５１と先端部３１とを螺合させる必要がある。この螺合により、第２留め部材５Ｂは凹部５１の内部が全体的に第２ネジ３Ｂの先端部３１に係止される。
【００３１】
更に、透過性被覆板４には、支持部材２２に対向する側の面において、各第２ネジ３Ｂが貫通する各穴部４１よりも、各第１ネジ３Ａが貫通する各穴部４１側となる位置に、係止部材４５が設けられている（図１〜図４，図７参照）。係止部材４５は、図１及び図２に示すように、各第２ネジ３Ｂが並ぶ方向に延び、更に、透過性被覆板４の一方の側端部から他方の側端部まで延びる帯状の突出部である。図７及び図８に示すように、係止部材４５は、支持部材２２に向かって突出し、第２留め部材５Ｂの第２ネジ３Ｂへの取付により透過性被覆板４が支持板２に固定されている状態のときに、支持部材２２に接触する突出量で突出している。
【００３２】
次に、ユーザーによる展示用パネル１へのポスターの取付方法を説明する。
【００３３】
展示用パネル１は、フレーム２１には既に支持部材２２が取り付けられており、その背面側から第１ネジ３Ａが、対応する各穴部２１３，２２３にそれぞれ挿し入れられ、第１ネジ３Ａの先端部３１がフレーム２１の表面側から突出し、更に、フレーム２１の背面側から第２ネジ３Ｂが、対応する各穴部２１３，２２３にそれぞれ挿し入れられ、第２ネジ３Ｂの先端部３１がフレーム２１の表面側から突出した状態で出荷される。ユーザーは、展示用パネル１の使用時、最初に、支持板２を脚部６により地面上に立て、この状態の支持板２に透過性被覆板４を取り付ける。そして、透過性被覆板４の各穴部４１に、対応する第１ネジ３Ａ又は第２ネジ３Ｂを貫通させて、透過性被覆板４を支持板２に取り付ける。このとき、係止部材４５が設けられている面を支持板２側に向けて、透過性被覆板４を支持板２に取り付ける。
【００３４】
続いて、第２ネジ３Ｂが透過性被覆板４から突出している先端部３１に第２留め部材５Ｂを被せて、先端部３１を第２留め部材５Ｂの凹部５１に入り込ませる。この状態でユーザーは、第２留め部材５Ｂを回転させて凹部５１と先端部３１とを螺合させ、第２留め部材５Ｂは凹部５１の内部全体を第２ネジ３Ｂの先端部３１に係止させる。これにより、支持板２に透過性被覆板４を固定させる。
【００３５】
この状態では、透過性被覆板４は、支持板２に対して、第２ネジ３Ｂが貫通する穴部４１の部分でのみ固定され、第１ネジ３Ａが貫通する穴部４１の部分では固定されていない。ここで、ユーザーが、透過性被覆板４における第１ネジ３Ａが貫通する穴部４１側の端縁部（本実施形態では上端部）を持ち、支持板２から離れる方向に当該端縁部を移動させると、透過性被覆板４は、可撓性を有するため、透過性被覆板４は、図８に示すように撓む。これにより、第２ネジ３Ｂが貫通する穴部４１の部分でのみ透過性被覆板４が支持板２に固定され、透過性被覆板４の上記端縁部側においては、透過性被覆板４と支持板２の間の空間が拡がる。
【００３６】
透過性被覆板４と支持板２の間の空間を拡げた状態で、ユーザーは、当該拡がった空間から、すなわち、透過性被覆板４及び支持板２の上方から、透過性被覆板４と支持板２の間に、展示対象とするポスターを挿し入れる。
【００３７】
このようにポスターを挿し入れると、透過性被覆板４及び支持板２の上方から挿し入れたポスターは、重力により下方に落ちていき、ポスターの下端部は、係止部材４５に当接する位置で止まる。ここで、係止部材４５は、ポスターの定型大きさに応じて、透過性被覆板４における高さ位置が設定されている。例えば、Ａ１版ポスターの場合、その下端部が係止部材４５の上に載って下方への移動が止められているときに、その上端部が透過性被覆板４及び支持部材２２等の上端部よりも下方であって、第１ネジ３Ａが貫通する穴部４１よりも下方の位置となるように、係止部材４５の高さ位置が設定されている。このため、透過性被覆板４及び支持板２の上部から挿し入れたポスターは、係止部材４５により下端部が支持され、図１に示すように、当該ポスターを透過性被覆板４の中央付近に配置させることが可能になる。
【００３８】
このようにポスターを配置した状態で、ユーザーは、第１ネジ３Ａの先端部３１に、第１留め部材５Ａを回転させることなく被せる。これにより、第１留め部材５Ａの凹部５１内の磁力により、第１留め部材５Ａは先端部３１に固着し、支持板２に透過性被覆板４が固定され、支持板２及び透過性被覆板４による挟持でポスターが保持される。
【００３９】
このようにしておくと、ポスターを更に取り換えるときにも、第１ネジ３Ａから第１留め部材５Ａを取り外す作業が簡単である。第１留め部材５Ａは先端部３１に螺合によっては固着しておらず磁力のみによる固着であるため、先端部３１からの第１留め部材５Ａの取り外しは、第１留め部材５Ａを回転させる作業は必要ではなく単に引き抜くだけでよい。また、透過性被覆板４及び支持板２の上方から挿し入れたポスターは、重力により下方に落ちていき、係止部材４５により位置決めされるため、ユーザーによるポスターの配置調整作業は僅かなもので足りる。このため、ユーザーは、ポスターを取り換えるときに、第１ネジ３Ａから第１留め部材５Ａを簡単に取り外し、図８に示すように、ポスター取り出しのための空間を、支持板２及び透過性被覆板４の間に容易に作ることができ、短時間でポスターを入れ換えることができる。なお、第１留め部材５Ａが、磁力を有する第１領域のみを有し、ネジ穴を有する第２領域を備えない構成も、本発明の一実施形態となる。
【００４０】
また、このような展示用パネル１では、ユーザーは、係止部材４５の上にポスターの下端部を載置させた状態で、透過性被覆板４及び支持板２の間に、複数枚のポスターを入れて収納しておくことが可能である。このように複数枚のポスターを入れておけば、ユーザーは、ポスター取り換えのために、第１ネジ３Ａから第１留め部材５Ａを取り外し、透過性被覆板４を撓ませて、ポスター取り出しのための空間を支持板２及び透過性被覆板４の間に作ったとき、当該複数枚のポスターのうち、最前面とされている１枚目のポスターを、その裏側に収納されているいずれかのポスターと入れ換えることで、簡単にポスターを入れ換えることができる。
【００４１】
また、ユーザーが、更に強固に支持板２に透過性被覆板４を取り付けたいときには、このように第１留め部材５Ａを先端部３１に取り付けた状態から、第１留め部材５Ａを回転させて、上記螺合により先端部３１に第１留め部材５Ａを係止させる。これにより、透過性被覆板４が支持板２に更に強固に固定される。この場合も、先端部３１に対して凹部５１の奥行き全域に設けたネジ穴を螺合させる従来の場合よりも、簡単に透過性被覆板４を支持板２に取り付けることができ、ポスターを取り換えるときにおける、第１ネジ３Ａから第１留め部材５Ａを取り外す作業も簡単に行える。
【００４２】
図７に示すように、透過性被覆板４には、支持部材２２に対向する側の面において、各第２ネジ３Ｂが貫通する各穴部４１よりも、各第１ネジ３Ａが貫通する各穴部４１側となる位置に、係止部材４５が設けられているため、図４に示すように、透過性被覆板４における各第１ネジ３Ａが貫通する各穴部４１部分では、若干の空隙を有することになる。このため、磁力のみで第１留め部材５Ａが先端部３１に固着している状態から、ユーザーが、第１留め部材５Ａを回転させて上記螺合により先端部３１に第１留め部材５Ａを係止させても、透過性被覆板４が支持板２側に撓むことができるため、第１留め部材５Ａの凹部５１内における第２領域５１２まで、第ネジ３Ａの先端部３１が入り込むことが可能である。
【００４３】
また、例えば、従来の展示用パネルでは、磁力を有するビスが台板又は枠体と吸着することで、ポスターを挟み込んで透明プラスチック板を台板に固定する構成を採るため、台板をスチール製等の強磁性体の素材で形成する必要があり、重量化及びユーザーによる取り扱い難さの要因となり、当該磁力を有するビスは、透明プラスチック板を挟んで台板又は枠体と吸着する必要があるために透明プラスチック板の厚さが制限されるという問題があったが、本発明の上記実施形態によれば、そのような問題は解消され、重量化及びユーザーによる取り扱い難さを招くことなく、透過性被覆板４の厚さ設定の自由度を確保した上で、ポスター取り換えの作業を更に効率良く行うことが可能である。本発明の上記実施形態では、第１留め部材５Ａは、第１ネジ３Ａに磁力で吸着するため、透過性被覆板４の厚さを例えば強度確保のために厚くしたとしても、支持板２に対して透過性被覆板４を確実に固定することとができる。
【００４４】
なお、本発明は上記実施の形態の構成に限られず種々の変形が可能である。例えば、上記実施形態では、支持板２を脚部６により地面上に立てて展示用パネル１を使用する形態を示しているが、本発明に係る展示用パネル１は当該形態に限定されない。例えば、展示用パネル１は脚部６を備えず、支持板２自身が自立して使用される、或いは、支持板２が壁面に取り付けられて使用されるものであってもよい。この場合、フレーム２１、支持部材２２、及び透過性被覆部材は、同じ大きさであることが好ましい。なお、支持板２にフレーム２１は必要ではなく、支持部材２２のみで支持板２が構成され、支持部材２２に各ネジ３が取り付けられるものとしてもよい。すなわち、支持部材２２のみで支持板２が構成される形態も本発明に係る展示用パネル１の一実施形態となる。
【００４５】
また、上記実施形態では、支持板２を脚部６により地面上に立てて展示用パネル１を使用し、第１ネジ３Ａ及び第１留め部材５Ａが上側で、第２ネジ３Ｂ及び第２留め部材５Ｂが下側となり、係止部材４５が透過性被覆板４の下部に設けられている形態を示しているが、これに限られず、支持板２が壁面に取り付けられて展示用パネル１が使用される等の場合には、第１ネジ３Ａ及び第１留め部材５Ａが展示用パネル１の一方の側部側とされ、第２ネジ３Ｂ及び第２留め部材５Ｂが他方の側部側とされ、係止部材４５が透過性被覆板４において第２ネジ３Ｂ及び第２留め部材５Ｂ側に設けられる形態を採用してもよい。
【００４６】
また、上記実施形態では、ネジ３は、支持部材２２の四隅に設けられるものとしているが、四隅への配設に限定されず、展示用パネル１は、ネジ３は支持部材２２において複数箇所に設けられておればよく、当該複数箇所に設けられているネジ３のうち、少なくとも１つのネジ３がネジ３Ａとして強磁性体で形成され、この第１ネジ３Ａに、磁力を有する第１留め部材５Ａが取り付けられるものであってもよい。
【００４７】
また、上記実施形態では、支持部材２２に設けられたネジ３のうち、その一部が強磁性体からなる第１ネジ３Ａとされ、他のネジが強磁性体ではない第２ネジ３Ｂとされ、第１ネジ３Ａには磁力を有する第１留め部材５Ａが取り付けられ、第２ネジ３Ｂにはネジ穴を凹部５１の全域に有する第２留め部材５Ｂが取り付けられる形態を示しているが、本発明は、これに限られず、支持部材２２に設けられたネジ３の全てが強磁性体からなる第１ネジ３Ａであり、第１ネジ３Ａの全てに、磁力を有する第１留め部材５Ａが取り付けられる形態でもよい。すなわち、第２ネジ３Ｂ及び第２留め部材５Ｂに代えて、第１ネジ３Ａ及び第１留め部材５Ａを用いても、支持板３に対する透過性被覆板４の固定に必要な固定力は確保可能である。
【００４８】
また、上記実施形態において、図１乃至図８を用いて説明した構成及び処理は、本発明の一実施形態に過ぎず、本発明を当該構成及び処理に限定する趣旨ではない。
【符号の説明】
【００４９】
１      展示用パネル
２      支持板
２１    フレーム
２１３  第１穴部
２２３  第２穴部
２２    支持部材
３      ネジ
３Ａ    第１ネジ
３Ｂ    第２ネジ
３１    先端部
４      透過性被覆板
４１    穴部
４５    係止部材
５，５Ａ，５Ｂ  留め部材
５１    凹部
５１１  第１領域
５１２  第２領域
６      脚部
【図１】
2020204740.tif 000003
【図２】
2020204740.tif 000004
【図３】
2020204740.tif 000005
【図４】
2020204740.tif 000006
【図５】
2020204740.tif 000007
【図６】
2020204740.tif 000008
【図７】
2020204740.tif 000009
【図８】
2020204740.tif 000010
【手続補正書】
【提出日】令和1年8月27日(2019.8.27)
【手続補正１】
【補正対象書類名】特許請求の範囲
【補正対象項目名】全文
【補正方法】変更
【補正の内容】
【特許請求の範囲】
【請求項１】
展示対象となるシート状の媒体を背面から支持する支持板と、
前記支持板における媒体支持面の複数箇所に、当該媒体支持面から突出してそれぞれ設けられる突部と、
可撓性及び透過性を有し、前記媒体を支持した状態の前記媒体支持面に前記媒体の表面側から被せて取り付けられ、前記媒体支持面に取り付けられたときに前記突部に対向する位置に、前記突部が貫通する穴部が形成された透過性被覆板と、
前記突部が入り込む凹部を有し、前記媒体支持面に取り付けられた前記透過性被覆板の前記穴部を貫通した前記突部が前記凹部に入り込んだ状態で前記突部に取り付けられ、前記透過性被覆板を前記支持板に固定する留め部材とを備え、
前記複数箇所に設けられている前記突部のうち、少なくとも１つの前記突部は、強磁性体で形成され、
前記留め部材のうち、前記強磁性体で形成された前記突部に取り付けられる前記留め部材は、前記凹部内に磁力を有し、
前記各突部の周面には、ネジ溝が形成され、
前記凹部内に磁力を有する前記留め部材は、前記凹部の形状が、前記突部に取り付けられるときに前記透過性被覆板側となる側面部から、前記突部が前記透過性被覆板から突出する部分の突出量と同じ奥行きまでの第１領域は、前記突部の径と同じ大きさの径とされて磁力を有する素材が配され、前記突出量を越える奥行き部分である第２領域は、前記ネジ溝に螺合するネジ穴が形成されている展示用パネル。
【請求項２】
前記突部は、前記媒体支持面の複数箇所として前記媒体支持面の四隅に設けられ、
前記四隅に設けられている前記突部のうち、前記媒体支持面の辺に沿って並ぶ２つの前記突部が強磁性体で形成されている請求項１に記載の展示用パネル。
【請求項３】
前記四隅に設けられている前記突部のうち、前記媒体支持面の辺に沿って並ぶ強磁性体で形成された２つの前記突部を第１突部とした場合に、当該第１突部以外の第２突部は、強磁性体以外の素材で形成され、前記第１突部に取り付けられ前記凹部内に磁力を有する留め部材を第１留め部材とし、前記第２突部に取り付けられる前記留め部材を第２留め部材とした場合に、前記第２留め部材は、前記凹部内に磁力を有しておらず、前記凹部の内部全体に前記ネジ溝に螺合するネジ穴が形成され、
前記各第１突部に前記第１留め部材が取り付けられず、前記各第２突部に前記第２留め部材が螺合により取り付けられた状態で前記透過性被覆板が前記支持板に固定されているとき、前記透過性被覆板は、前記第２留め部材により固定されている部分は前記媒体支持面に密着しつつ、前記第１留め部材側の端部が、前記支持板から離れる方向に撓み可能とされ、
前記透過性被覆板には、前記媒体支持面側の面において、前記各第２突部が貫通する前記各穴部よりも、前記各第１突部が貫通する前記各穴部側となる位置に、前記媒体支持面側に向けて突出する係止部材が設けられ、
前記係止部材は、前記透過性被覆板が前記支持板に固定されている状態のときに前記媒体支持面に接触し、前記各第２突部が貫通する前記各穴部が並ぶ方向に延び、前記透過性被覆板の一方の側端部から他方の側端部まで設けられている請求項１又は請求項２に記載の展示用パネル。